(57)【要約】      （修正有）【課題】嵌着状態を確実に確保することができる回転工具用継手工具を提供する。【解決手段】一端部にドライバービット１あるいはドリル等が嵌挿可能な嵌挿孔２を有し、他端部に開口部３を有し、バネ４を収納する嵌挿部５を有し、開口部から嵌挿孔寄りの嵌挿部の外周６の径が小径の小径状外周部７を、小径状外周部から一端部方向の部位の径が大径の大径状外周部８を形成し、小径状外周部に、嵌挿部内に嵌挿してバネを常時押圧する自在継手のテーパー孔９に貫通する軸ピン１２が挿通する貫通孔１１を形成し、貫通孔に挿通する軸ピンの飛出を阻止するリング１４を嵌挿する凹溝１３を形成せしめる前方継手ａを形成し、嵌脱する中空状の嵌挿部１５を有し、中空状の嵌挿部の周壁部１６に鋼球１７を嵌挿せしめる前方凹溝１８と後方凹溝１９を嵌挿部を形成する前方開口部２０から後方開口部２１にかけて間隔をあけて形成する被嵌筒体ｂを形成する。【選択図】 図２
0003136768.tif 000002
【実用新案登録請求の範囲】
【請求項１】
一端部にドライバービットあるいはドリル等が嵌挿可能な嵌挿孔を有し、他端部に開口部を有し、且バネを収納する嵌挿部を有し、前記開口部から前記嵌挿孔寄りの前記嵌挿部の外周の径が小径の小径状外周部を、且前記小径状外周部から一端部方向の部位の径が大径の大径状外周部を形成し、前記小径状外周部に、前記嵌挿部内に嵌挿して前記バネを常時押圧する自在継手のテーパー孔に貫通する軸ピンが挿通する貫通孔を形成し、且前記貫通孔に挿通する前記軸ピンの飛出を阻止するリングを嵌挿する凹溝を形成せしめる前方継手を形成し、前記前方継手の小径状外周部に嵌脱する中空状の嵌挿部を有し、前記中空状の嵌挿部の周壁部に鋼球を嵌挿せしめる前方凹溝と後方凹溝を前記嵌挿部を形成する前方開口部から後方開口部にかけて間隔をあけて形成する被嵌筒体を形成し、前記被嵌筒体内に嵌挿する自在継手付き継手本体の前方外周部に、前記鋼球の一部とバネとが嵌挿する外周凹溝を形成し、前記外周凹溝より後方の後方外周部に前記被嵌筒体の鍔付き開口部が係止する係止段部を、且前記継手本体の後方部にストッパー部と、シヤンクの嵌着部を形成せしめることを特徴とする回転工具用継手工具。
【請求項２】
一端部にドライバービットあるいはドリル等が嵌挿可能な嵌挿孔を有し、他端部に開口部を有し、且バネを収納する嵌挿部を有し、前記開口部から前記嵌挿孔寄りの前記嵌挿部の外周の径が小径の小径状外周部を、且前記小径状外周部から一端部の嵌挿孔寄りの前記嵌挿部の外周の径が大径の大径状外周部を形成し、前記小径状外周部に、前記嵌挿部内に嵌挿して前記バネを常時押圧する自在継手のテーパー孔に貫通する軸ピンが挿通する貫通孔を形成し、且前記貫通孔に挿通する前記軸ピンの飛出を阻止するリングを嵌挿する凹溝を形成すると共に、前記大径状外周部にバネと鋼球とが嵌挿する大径凹溝を形成する前方継手と、前記前方継手の小径状外周部及び前記大径状外周部に嵌脱する拡径状の嵌挿部と前記拡径状嵌挿部より小径の小径状嵌挿部を有し、前記拡径状嵌挿部の周壁部に鋼球を嵌挿せしめる凹溝を形成し、且自在継手付き継手本体が嵌挿する前記拡径状嵌挿部より小径にして、且前記小径状外周部に嵌脱する小径状嵌挿部を前記拡径状嵌挿部と連接すると共に、前記拡径状嵌挿部と反対の後方開口部に鍔部を形成する被嵌筒体を形成し、前記被嵌筒体を前記前方継手の方向に前進すると、前記前方継手の前記大径状外周部と前記小径状外周部に、前記被嵌筒体の拡径状嵌挿部と前記小径状嵌挿部が夫々嵌合し、前記拡径状嵌挿部の凹溝内に、前記大径状外周部の大径凹溝に嵌挿する鋼球が嵌挿すると共に、且前記継手本体の後方部にストッパー部と、シヤンクの嵌着部を形成せしめることを特徴とする回転工具用継手工具。
【請求項３】
前記前方継手にして、ドライバービット、ドリル等が嵌挿する嵌挿孔の外周部に、ネジを磁着する磁石体を嵌着するネジ固定具を嵌挿せしめることを特徴とする請求項１又は同２記載の回転工具用継手工具。
【請求項４】
前記ネジ固定具が、内側カバー筒体と前記ドライバービット、ドリル等が挿入可能な出入孔を有する磁石体を下端部に取着する外側カバー体を前記内側カバー筒体に挿入可能に組立てることを特徴とする請求項３記載の回転工具用継手工具。
【請求項５】
一端部にドライバービットあるいはドリル等が嵌挿可能な嵌挿孔を有する前方嵌挿部と、他端部に開口部を有し、且バネを収納する後方嵌挿部を有し、前記開口部寄りの後方嵌挿部に、前記後方嵌挿部内に嵌挿して前記バネを常時押圧する自在継手のテーパー孔に貫通する軸ピンを挿通せしめ、前記後方嵌挿部の外周を大径状外周部とし、前記後方嵌挿部の後方部から前記ドライバービットとの間の外周を小径状外周部とし、前記後方嵌挿部と前記前方嵌挿部との接続部位を係止段部とすると共に、前記係止段部寄りの前方嵌挿部の外周に形成の凹溝に後方リング体を嵌挿し、且前記後方リング体と前記ドライバービットとの間の小径状外周部に形成の凹溝に前方リング体を嵌挿せしめる前方継手と、前記前方継手の前方嵌挿部に嵌挿する小径嵌挿部と前記後方嵌挿部と前記自在継手に嵌挿する大径嵌挿部とかなる嵌挿筒体を形成し、前記小径嵌挿部の開口部に前記前方リング体と後方リング体とを嵌挿する凹部を一体に形成することを特徴とする回転工具用継手工具。
【請求項６】
前記嵌挿筒体は、前記前方嵌挿部と前記後方嵌挿部と前記自在継手とを嵌挿可能な長さとすることを特徴とする請求項５記載の回転工具用継手工具。
【請求項７】
一端部にドライバービットあるいはドリル等が嵌挿可能な嵌挿孔を有する前方嵌挿部と、他端部に開口部を有する前方嵌挿部と、且バネを収納する後方嵌挿部を有し、前記開口部寄りの後方嵌挿部に、前記後方嵌挿部内に嵌挿して前記バネを常時押圧する自在継手のテーパー孔に貫通する軸ピンを挿通せしめ、前記後方嵌挿部の外周を大径状外周部とし、前記後方嵌挿部の後方部から前記ドライバービットとの間の外周を小径状外周部とし、前記後方嵌挿部と前記前方嵌挿部との接続部位を係止段部とすると共に、前記係止段部寄りの前方嵌挿部の小径状外周部にバネと鋼球を嵌挿する前方凹溝にバネと鋼球とを嵌挿し、且前記後方凹溝と前記ドライバービットとの間の小径状外周部に形成の前方凹溝にバネと鋼球とを嵌挿せしめる前方継手と、前記前方継手の前方嵌挿部に嵌挿する小径嵌挿部と前記後方嵌挿部と前記自在継手に嵌挿する大径嵌挿部とかなる嵌挿筒体を形成し、前記小径嵌挿部の開口部に前記両凹溝に嵌挿するバネと鋼球を押圧し、且嵌挿せしめる凹部を一体に形成することを特徴とする回転工具用継手工具。
【請求項８】
前記嵌挿筒体は、前記前方嵌挿部と前記後方嵌挿部と前記自在継手とを嵌挿可能な長さとすることを特徴とする請求項７記載の回転工具用継手工具。
【考案の詳細な説明】
【技術分野】
【０００１】
本考案は、回転工具用継手工具の分野に関するものである。
【背景技術】
【０００２】
従来、開示の電動回動具用の継手工具として、特開平８−１１８２４７号公開特許公報が開示されている。
【０００３】
前記公開特許公報の継手工具は、図２に図示されているように、一直線にするには、後体４方向に前体２を摺動させて、前記後体４の前方端部と、前記前体２の後方端部とを当接せしめ、他方前記前体２と後体４とを図１、３に図示するように任意角度にするには、前記被嵌筒８を前方に摺動する操作によって処理する機構である。
【０００４】
さらに、従来の電動回動具用の継手工具として、特開平９−２０１７７７号の公開特許公報が開示されている。
【０００５】
前記公開特許公報の継手工具の解決課題は、ドライバービット、ドリル等の各種工具１が連結される前体２と電動回動具３に連結される後体２とを自在継手５を介して連設したものであって、前体２と後体４とが同一軸線上に位置した際、該前体２と後体４とを直列状態に維持する解除可能なロックピン６付の維持手段ａを設けたものとされている。
【０００６】
そのため、被嵌筒８を前後方向に摺動させ、前記被嵌筒８の開口端８′と後体４の開口端４′とを突き合わせ状態にすることによって、図１に図示する同一軸線に直列する構造である。
【特許文献１】特開平８−１１８２４７号公開特許公報
【特許文献２】特開平９−２０１７７７号公開特許公報
【考案の開示】
【考案が解決しようとする課題】
【０００７】
前記開示の特許文献１の特開平８−１１８２４７号の公開特許公報の電動回動具用の継手工具は、前体２と後体４とが同一軸線上に位置した際、前記前体２と後体４とを当該位置関係に維持する維持手段として、図１、２に図示されているとおり、第二凹溝１２に貫通孔１３に嵌挿のボール１５が嵌挿するだけで一直線状態を維持している。
【０００８】
しかるに、本考案の回転工具用継手工具は、前方継手と自在継手付き継手本体に嵌挿する被嵌筒体とが一直線状態を維持する手段として、前記前方継手の小径状外周部と前記被嵌筒体とを嵌合せしめた嵌合部分と、前記継手本体の外周部に設けた外周凹溝内に挿入するバネを押圧する鋼球と、前記鋼球が嵌挿する後方凹溝との嵌合部分との２個所によって確実に嵌着状態を確実に確保できるようにした。
【０００９】
さらに、本考案の回転工具用継手工具は、前方継手と自在継手付き継手本体に嵌挿する被嵌筒体とが一直線状態を維持する手段として、前記前方継手の小径状外周部及び大径状外周部と、前記被嵌筒体の拡径状嵌挿部と小径状嵌挿部とを２段にわたり嵌合せしめた嵌合部分と、前記継手本体の外周部に設けた外周凹溝内に挿入するバネを押圧する鋼球と、前記鋼球が嵌挿する前記拡径状嵌挿部の大径凹溝内に前記鋼球を嵌挿させて前記被嵌筒体の離脱を阻止するようにして前記前方継手と前記被嵌筒体を確実に固着して、固着状態を確保するものである。
【００１０】
また、本考案は、前記前方継手の前方の前記ドライバービット等の外周に、磁石体付きネジ固定具を嵌挿せしめて、ネジを確実に磁着してネジをスムーズに最後まで締め付けることができるようにした。
【００１１】
さらに、前記開示の特許文献２の特開平９−２０１７７７号公開特許公報の電動回動具用の継手工具は、前体２と後体４とを自在継手５を介して連設するのに、ロックピン６付の維持手段ａの一箇所のみで直列状態を維持するものであった。
【００１２】
しかるに、本考案の回転工具用継手工具は、前記前方継手と被嵌筒体とが一直線状態を維持する手段として、前記前方継手の小径状外周部と大径状外周部とに、前記被嵌筒体が２箇所にわたって嵌合していることと、さらに前記大径状外周部のバネを押圧する球体が、拡径状嵌挿部の大径凹溝内に嵌挿しているので、前記前方継手と被嵌筒体との嵌着状態を確実に確保できるようにした。
【課題を解決するための手段】
【００１３】
前記課題を解決するための手段として、請求項１記載の考案は、一端部にドライバービット１あるいはドリル等が嵌挿可能な嵌挿孔２を有し、他端部に開口部３を有し、且バネ４を収納する嵌挿部５を有し、前記開口部３から前記嵌挿孔寄りの前記嵌挿部５の外周６の径が小径の小径状外周部７を、且前記小径状外周部７から一端部方向の部位の径が大径の大径状外周部８を形成し、前記小径状外周部７に、前記嵌挿部５内に嵌挿して前記バネ４を常時押圧する自在継手のテーパー孔９に貫通する軸ピン１２が挿通する貫通孔１１を形成し、且前記貫通孔１１に挿通する前記軸ピン１２の飛出を阻止するリング１４を嵌挿する凹溝１３を形成せしめる前方継手ａを形成し、前記前方継手ａの小径状外周部７に嵌脱する中空状の嵌挿部１５を有し、前記中空状の嵌挿部１５の周壁部１６に鋼球１７を嵌挿せしめる前方凹溝１８と後方凹溝１９を前記嵌挿部１５を形成する前方開口部２０から後方開口部２１にかけて間隔をあけて形成する被嵌筒体ｂを形成し、前記被嵌筒体ｂ内に嵌挿する自在継手１０付き継手本体ｃの前方外周部に、前記鋼球１７の一部とバネ２４とが嵌挿する外周凹溝２３を形成し、前記外周凹溝２３より後方の後方外周部２５に前記被嵌筒体ｂの鍔２１ａ付き開口部２１が係止する係止段部２６を、且前記継手本体ｃの後方部２７にストッパー部２８と、シヤンク２９の嵌着部３０を形成せしめる回転工具用継手工具である。
【００１４】
課題を解決するための手段として、請求項２記載の考案は、一端部にドライバービット１あるいはドリル等が嵌挿可能な嵌挿孔１２を有し、他端部に開口部３を有し、且バネ４を収納する嵌挿部５を有し、前記開口部５から前記嵌挿孔２寄りの前記嵌挿部５の外周６の径が小径の小径状外周部７を、且前記小径状外周部７から一端部の嵌挿孔２寄りの前記嵌挿部５の外周の径が大径の大径状外周部８を形成し、前記小径状外周部７に、前記嵌挿部５内に嵌挿して前記バネ４を常時押圧する自在継手１０のテーパー孔９に貫通する軸ピン１２が挿通する貫通孔１１を形成し、且前記貫通孔１１に挿通する前記軸ピン１２の飛出を阻止するリング１４を嵌挿する凹溝１３を形成すると共に、前記大径状外周部８にバネ４と鋼球１７とが嵌挿する大径凹溝２３ａを形成する前方継手aと、前記前方継手ａの小径状外周部７及び前記大径状外周部８に嵌脱する拡径状の嵌挿部１５ａと前記拡径状嵌挿部１５ａより小径の小径状嵌挿部１５ｂを有し、前記拡径状嵌挿部１５ａの周壁部１５ｃに鋼球１７を嵌挿せしめる凹溝１５ｄを形成し、且自在継手付き継手本体ｃが嵌挿する前記拡径状嵌挿部１５ａより小径にして、且前記小径状外周部７に嵌脱する小径状嵌挿部１５ｂを前記拡径状嵌挿部１５ａと連接すると共に、前記拡径状嵌挿部１５ａと反対の後方開口部２１に鍔部２１ａを形成する被嵌筒体ｂを形成し、前記被嵌筒体ｂを前記前方継手ａの方向に前進すると、前記前方継手ａの前記大径状外周部８と前記小径状外周部１５ｂに、前記被嵌筒体ｂの拡径状嵌挿部１５ａと前記小径状嵌挿部１５ｂが夫々嵌合し、前記拡径状嵌挿部１５ａの凹溝１５ｄ内に、前記大径状外周部８の大径凹溝２３ａに嵌挿する鋼球１７が嵌挿すると共に、且前記継手本体ｃの後方部２７にストッパー部２８と、シヤンク２９の嵌着部３０を形成せしめる回転工具用継手工具である。
【００１５】
課題を解決するための手段として、請求項３記載の考案は、前記前方継手ａにして、ドライバービット１、ドリル等が嵌挿する嵌挿孔１２の外周部に、ネジｎを磁着する磁石体３１を嵌着するネジ固定具ｄを嵌挿せしめる回転工具用継手工具である。
【００１６】
課題を解決するための手段として、請求項４記載の考案は、前記ネジ固定具ｄが、内側カバー筒体３３と前記ドライバービット１、ドリル等が挿入可能な出入孔４８を有する磁石体４７を下端部に取着する外側カバー筒体３４を前記内側カバー筒体３３に挿入可能に組立てる回転工具用継手工具である。
【００１７】
課題を解決するための手段として、請求項５記載の考案は、一端部にドライバービット１あるいはドリル等が嵌挿可能な嵌挿孔５５を有する前方嵌挿部５６と、他端部に開口部５７を有し、且バネ５８を収納する後方嵌挿部５９を有し、前記開口部寄りの後方嵌挿部５９に、前記後方嵌挿部５９内に嵌挿して前記バネ５８を常時押圧する自在継手のテーパー孔６１に貫通する軸ピン６０を挿通せしめ、前記後方嵌挿部５９の外周を大径状外周部６３とし、前記後方嵌挿部５９の後方部から前記ドライバービット１との間の外周を小径状外周部６４とし、前記後方嵌挿部５９と前記前方嵌挿部５６との接続部位を係止段部６５とすると共に、前記係止段部６５寄りの前方嵌挿部５６の外周に形成の凹溝６７に後方リング体６６を嵌挿し、且前記後方リング体６６と前記ドライバービット１との間の小径状外周部６４に形成の凹溝６７に前方リング体６８を嵌挿せしめる前方継手ａと、前記前方継手ａの前方嵌挿部５６に嵌挿する小径嵌挿部６９と前記後方嵌挿部５９と前記自在継手ｂに嵌挿する大径嵌挿部７０とかなる嵌挿筒体ｃを形成し、前記小径嵌挿部６９の開口部に前記前方リング体６８と後方リング体６６とを嵌挿する凹部７２を一体に形成することを特徴とする回転工具用継手工具である。
【００１８】
課題を解決するための手段として、請求項６記載の考案は、前記嵌挿筒体ｃは、前記前方嵌挿部５６と前記後方嵌挿部５９と前記自在継手ｂとを嵌挿可能な長さとすることを特徴とする請求項５記載の回転工具用継手工具である。
【００１９】
課題を解決するための手段として、請求項７記載の考案は、一端部にドライバービット１あるいはドリル等が嵌挿可能な嵌挿孔５５を有する前方嵌挿部５６と、他端部に開口部を有する前方嵌挿部５６と、且バネ５８を収納する後方嵌挿部５９を有し、前記開口部５７寄りの後方嵌挿部５９に、前記後方嵌挿部５９内に嵌挿して前記バネ５８を常時押圧する自在継手ｂのテーパー孔６１に貫通する軸ピン６０を挿通せしめ、前記後方嵌挿部５９の外周を大径状外周部７０とし、前記後方嵌挿部５９の後方部から前記ドライバービット１との間の外周を小径状外周部６４とし、前記後方嵌挿部５９と前記前方嵌挿部５６との接続部位を係止段部６５とすると共に、前記係止段部６５寄りの前方嵌挿部５６の小径状外周部６４にバネと鋼球を嵌挿する後方凹溝６７を形成し、前記凹溝６７にバネ６６と鋼球６６ａとを嵌挿し、且前記後方凹溝６７と前記ドライバービット１との間の小径状外周部６４に形成の前方凹溝６７にバネ６８と鋼球６８ａとを嵌挿せしめる前方継手ａと、前記前方継手ａの前方嵌挿部５６に嵌挿する小径嵌挿部６９と前記後方嵌挿部５９と前記自在継手ｂに嵌挿する大径嵌挿部７０とかなる嵌挿筒体ｃを形成し、前記小径嵌挿部６９の開口部７１に前記両凹溝６７、６７に嵌挿するバネ６６、６８と鋼球６６ａ、６８ａを押圧し、且嵌挿せしめる凹部７２を一体に形成することを特徴とする回転工具用継手工具である。
【００２０】
課題を解決するための手段として、請求項８記載の考案は、前記嵌挿筒体ｃは、前記前方嵌挿部５６と前記後方嵌挿部５９と前記自在継手ｂとを嵌挿可能な長さとすることを特徴とする請求項７記載の回転工具用継手工具である。
【考案の効果】
【００２１】
請求項１記載の考案は、一端部にドライバービットあるいはドリル等が嵌挿可能な嵌挿孔を有し、他端部に開口部を有し、且バネを収納する嵌挿部を有し、前記開口部から前記嵌挿孔寄りの前記嵌挿部の外周の径が小径の小径状外周部を、且前記小径状外周部から一端部方向の部位の径が大径の大径状外周部を形成し、前記小径状外周部に、前記嵌挿部内に嵌挿して前記バネを常時押圧する自在継手のテーパー孔に貫通する軸ピンが挿通する貫通孔を形成し、且前記貫通孔に挿通する前記軸ピンの飛出を阻止するリングを嵌挿する凹溝を形成せしめる前方継手を形成し、前記前方継手の小径状外周部に嵌脱する中空状の嵌挿部を有し、前記中空状の嵌挿部の周壁部に鋼球を嵌挿せしめる前方凹溝と後方凹溝を前記嵌挿部を形成する前方開口部から後方開口部にかけて間隔をあけて形成する被嵌筒体を形成し、前記被嵌筒体内に嵌挿する自在継手付き継手本体の前方外周部に、前記鋼球の一部とバネとが嵌挿する外周凹溝を形成し、前記外周凹溝より後方の後方外周部に前記被嵌筒体の鍔付き開口部が係止する係止段部を、且前記継手本体の後方部にストッパー部と、シヤンクの嵌着部を形成せしめる回転工具用継手工具なので、前方継手と継手付き継手本体に嵌挿する被嵌筒体とが一直線状態を確実に確保することができると共に、両体が不意に離脱することをなくした。
【００２２】
請求項２記載の考案は、一端部にドライバービットあるいはドリル等が嵌挿可能な嵌挿孔を有し、他端部に開口部を有し、且バネを収納する嵌挿部を有し、前記開口部から前記嵌挿孔寄りの前記嵌挿部の外周の径が小径の小径状外周部を、且前記小径状外周部から一端部の嵌挿孔寄りの前記嵌挿部の外周の径が大径の大径状外周部を形成し、前記小径状外周部に、前記嵌挿部内に嵌挿して前記バネを常時押圧する自在継手のテーパー孔に貫通する軸ピンが挿通する貫通孔を形成し、且前記貫通孔に挿通する前記軸ピンの飛出を阻止するリングを嵌挿する凹溝を形成すると共に、前記大径状外周部にバネと鋼球とが嵌挿する大径凹溝を形成する前方継手と、前記前方継手の小径状外周部及び前記大径状外周部に嵌脱する拡径状の嵌挿部と前記拡径状嵌挿部より小径の小径状嵌挿部を有し、前記拡径状嵌挿部の周壁部に鋼球を嵌挿せしめる凹溝を形成し、且自在継手付き継手本体が嵌挿する前記拡径状嵌挿部より小径にして、且前記小径状外周部に嵌脱する小径嵌挿部を前記拡径状嵌挿部と連接すると共に、前記拡径状嵌挿部と反対の後方開口部に鍔部を形成する被嵌筒体を形成し、前記被嵌筒体を前記前方継手の方向に前進すると、前記前方継手の前記大径状外周部と前記小径状外周部に、前記被嵌筒体の拡径状嵌挿部と前記小径状嵌挿部が夫々嵌合し、前記拡径状嵌挿部の凹溝内に、前記大径状外周部の大径凹溝に嵌挿する鋼球が嵌挿すると共に、且前記継手本体の後方部にストッパー部と、シヤンクの嵌着部を形成せしめる回転工具用継手工具なので、前記前方継手と継手付き継手本体に嵌挿する被嵌筒体とが一直線状態を確実に確保することができると共に、両体が不意に離脱することをなくした。
【００２３】
請求項３記載の考案は、前記前方継手にして、ドライバービット、ドリル等が嵌挿する嵌挿孔の外周部に、ネジを磁着する磁石体を嵌着するネジ固定具を嵌挿せしめる回転工具用継手工具なので、前記前方継手と継手付き継手本体に嵌挿する被嵌筒体とが一直線状態を確実に確保することができると共に、ネジ固定具を前記前方継手の前方の外周に嵌挿せしめて、ネジを確実に磁着してネジをスムーズに最後まで締め付けることができる利点を有している。
【００２４】
請求項４記載の考案は、前記ネジ固定具が、内側カバー筒体と前記ドライバービット、ドリル等が挿入可能な出入孔を有する磁石体を下端部に取着する外側カバー体を前記内側カバー筒体に挿入可能に組立てる回転工具用継手工具なので、請求項３記載の考案と同じ効果を有している。
【００２５】
請求項５記載の考案は、一端部にドライバービットあるいはドリル等が嵌挿可能な嵌挿孔を有する前方嵌挿部と、他端部に開口部を有し、且バネを収納する後方嵌挿部を有し、前記開口部寄りの後方嵌挿部に、前記後方嵌挿部内に嵌挿して前記バネを常時押圧する自在継手のテーパー孔に貫通する軸ピンを挿通せしめ、前記後方嵌挿部の外周を大径状外周部とし、前記後方嵌挿部の後方部から前記ドライバービットとの間の外周を小径状外周部とし、前記後方嵌挿部と前記前方嵌挿部との接続部位を係止段部とすると共に、前記係止段部寄りの前方嵌挿部の外周に形成の凹溝に後方リング体を嵌挿し、且前記後方リング体と前記ドライバービットとの間の小径状外周部に形成の凹溝に前方リング体を嵌挿せしめる前方継手と、前記前方継手の前方嵌挿部に嵌挿する小径嵌挿部と前記後方嵌挿部と前記自在継手に嵌挿する大径嵌挿部とかなる嵌挿筒体を形成し、前記小径嵌挿部の開口部に前記前方リング体と後方リング体とを嵌挿する凹部を一体に形成することを特徴とする回転工具用継手工具なので、前記前方継手と前記自在継手が前記嵌挿筒体によって一直線状態を確実に確保することができると共に、両体が不意に離脱することをなくした。
【００２６】
請求項６記載の考案は、前記嵌挿筒体は、前記前方嵌挿部と前記後方嵌挿部と前記自在継手とを嵌挿可能な長さとする請求項５記載の回転工具用継手工具なので、前記請求項５記載の考案の効果と同じ効果を有している。
【００２７】
請求項７記載の考案は、一端部にドライバービットあるいはドリル等が嵌挿可能な嵌挿孔を有する前方嵌挿部と、他端部に開口部を有する前方嵌挿部と、且バネを収納する後方嵌挿部を有し、前記開口部寄りの後方嵌挿部に、前記後方嵌挿部内に嵌挿して前記バネを常時押圧する自在継手のテーパー孔に貫通する軸ピンを挿通せしめ、前記後方嵌挿部の外周を大径状外周部とし、前記後方嵌挿部の後方部から前記ドライバービットとの間の外周を小径状外周部とし、前記後方嵌挿部と前記前方嵌挿部との接続部位を係止段部とすると共に、前記係止段部寄りの前方嵌挿部の小径状外周部にバネと鋼球を嵌挿する前方凹溝にバネと鋼球とを嵌挿し、且前記後方凹溝と前記ドライバービットとの間の小径状外周部に形成の前方凹溝にバネと鋼球とを嵌挿せしめる前方継手と、前記前方継手の前方嵌挿部に嵌挿する小径嵌挿部と前記後方嵌挿部と前記自在継手に嵌挿する大径嵌挿部とかなる嵌挿筒体を形成し、前記小径嵌挿部の開口部に前記両凹溝に嵌挿するバネと鋼球を押圧し、且嵌挿せしめる凹部を一体に形成する回転工具用継手工具なので、前記前方継手と前記自在継手が前記嵌挿筒体によって一直線状態を確実に確保することができると共に、両体が不意に離脱することをなくした。
【００２８】
請求項８記載の考案は、前記嵌挿筒体は、前記前方嵌挿部と前記後方嵌挿部と前記自在継手とを嵌挿可能な長さとする回転工具用継手工具なので、前記請求項７記載の考案の効果と同じ効果を有している。
【考案を実施するための最良の形態】
【００２９】
請求項１〜４記載の考案は、共通しているので以下のとおり一括して説明する。
【００３０】
図面において、本考案の回転工具用継手工具は、前方継手ａと被嵌筒体ｂと自在継手付き継手本体ｃとを主たる構成部材としている。
【００３１】
前記前方継手ａの構成は以下のとおりである。
【００３２】
前記前方継手ａは、一端部にドライバービット１等が嵌挿可能な嵌挿孔２を有する。そして他端部には、自在継手１０が嵌挿する開口部３を有し、且バネ４を収納する嵌挿部５を形成する。
【００３３】
さらに、前記開口部３から前記嵌挿孔２寄りの前記嵌挿部５の外周部には、外周６の径が小径とする小径状外周部７を形成する。
【００３４】
また、前記小径状外周部７から一端部方向の部位に、大径の大径状外周部８を形成する。
【００３５】
さらに、前記小径状外周部７には、前記嵌挿部５に嵌挿して、前記バネ４を常時押圧する自在継手１０のテーパー孔９に貫通する軸ピン１２を挿通せしめる貫通孔１１を形成する。
【００３６】
さらに、前記小径状外周部８には、前記貫通孔１１に挿通の前記軸ピン１２の飛出を阻止するリング１４を嵌挿する凹溝１３を形成する。
【００３７】
以上が前方継手ａの構成である。
【００３８】
つぎに、前記前方継手ａに嵌脱する被嵌筒体ｂの構成について説明する。
【００３９】
この被嵌筒体ｂは、前記前方継手ａの小径状外周部７に嵌脱する中空状の嵌挿部１５と、前記中空状の嵌挿部１５の周壁部１６に鋼球１７を嵌挿せしめる前方凹溝１８と後方凹溝１９を形成する。さらに、前記嵌挿部１５の後方には、鍔部２１ａ付き後方開口部２１を形成する。
【００４０】
さらに、自在継手１０付き継手本体ｃの構成について説明する。
【００４１】
前記継手本体ｃは、前記前方継手ａの小径状外周部７に嵌挿しない状態時には、前記被嵌筒体ｂの前方凹溝１８に嵌挿している前記鋼球１７の一部が嵌挿する外周凹溝２３を形成する（図２）。
【００４２】
前記継手本体ｃの外周凹溝２３内には、バネ２４も挿入する（図２）。
【００４３】
さらに、前記継手本体ｃの外周凹溝２３より後方の外周部２５に、前記被嵌筒体ｂの鍔２１ａ付き後方開口部２１の鍔部２１ａが係止する係止段部２６を、且前記継手本体ｃの後方部２７にストッパー部２８と、シヤンク２９を嵌着する嵌着部３０とを形成する。そして、前記バネ４は、自在継手１０を押圧しつづけている。
【００４４】
以上が本考案の回転工具用継手工具に関する第１実施例である。
【００４５】
上記の構成からなる第一実施例の回転工具用継手工具は、以下のようにして使用する。
【００４６】
前記前方継手ａに対し、被嵌筒体ｂ内に嵌挿中の自在継手２２付き継手本体ｃが、首振り状態とするには、前記被嵌筒体ｂを右方向にスライドさせる（図２）。
【００４７】
しかし、前記前方継手ａに対し、前記継手本体ｃが、首振り状態ではなく、直列状態を確保するには、図３に図示されている嵌合状態とする。
【００４８】
即ち、前記被嵌筒体ｂを前記前方継手ａの方向にスライドして、前記前方継手ａの小径状外周部７に、前記被嵌筒体ｂの前方開口部２０を嵌挿する。そのとき前記鋼球１７が、前記前方継手ａの方向に前進してきた後方凹溝１９内に嵌り込んでバネ２４を押圧する。
【００４９】
上記のように、本考案の前方継手ａと継手本体ｃとが、直列状態となると、小径状外周部８と被嵌筒体ｂの中空状の嵌挿部１５とが嵌合し、さらに被嵌筒体ｂの後方凹溝１９内に鋼球１７がバネ２４を押圧しながら、前記前方継手ａと前記継手本体ｃとが強固に接続し直列状態を保持する。
【００５０】
以上が前記前方継手ａと継手本体ｃとの直列状態となる実施例である。
【００５１】
つぎに、本考案の回転工具用継手工具の第２実施の形態につき説明する。
【００５２】
第２実施例の形態は、前記第１実施例の形態と若干相違している（図４、５）。
【００５３】
前記第２実施例の形態が、第１実施例の形態である前記前方継手ａと、被嵌筒体ｂと、継手本体ｃと相違している点のみを説明する。
【００５４】
第２実施例の前方継手ａは、小径状外周部７に、軸ピン１２を挿通する貫通孔１１ａを形成すると共に、前記小径状外周部７に、前記貫通孔１１ａに挿通の軸ピン１２の飛出するリング１４ａを嵌挿する凹溝１３ａを形成する点において共通する。しかし、大径状外周部８に、鋼球１７とバネ２４とが嵌挿する大径凹溝２３ａを形成する点は第１実施例と相違する。
【００５５】
さらに、第２実施例の被嵌筒体ｂは、前記前方継手ａの小径状外周部７及び大径状外周部８に嵌脱する拡径状嵌挿部１５ａと前記拡径状嵌挿部１５ａよりも小径の小径状嵌挿部１５ｂとを有している。
【００５６】
また、前記拡径状嵌挿部１５ａの周壁部１５ｃに鋼球１７を嵌挿せしめる凹溝１５ｄを有する。さらに、自在継手１０付き継手本体ｃが嵌挿する前記拡径状嵌挿部１５ａと小径状嵌挿部１５ｂとは連接されている（図４、５）。
【００５７】
また、前記拡径状嵌挿部１５ａと反対の後方開口部２１に内側方に突出する鍔部２１ａを形成する。他の構成は実施例１の被嵌筒体ｂと継手本体ｃの構造と同じであるから、具体的説明は省略する。
【００５８】
前記第２実施例の前方継手ａと被嵌筒体ｂと継手本体ｃとを直列状態にするには、図４に図示されている前記被嵌筒体ｂを前記前方継手ａの方向にスライドさせる。
【００５９】
前記被嵌体ｂを前記前方継手ａの方向にスライドすると、前記前方継手ａの大径外周部８に、前記被嵌筒体ｂの拡径状嵌挿部１５ａが嵌挿して、凹溝１５ｄに鋼線１７が嵌挿する。そのとき、バネ２４が鋼線１７を押上げて凹溝１５ｄから鋼球１７が離脱するのを防止する。
【００６０】
さらに、前記小径状外周部７に、前記被嵌筒体ｂの小径状嵌挿部１５ｂが嵌挿する。
【００６１】
上記の組立てによって、前記した３つの部材である前記前方継手ａと、被嵌筒体ｂと前記継手本体ｃとが直列状態となる。
【００６２】
しかし、前記の直列状態を解除するには、前記被嵌筒体ｂを前記前方継手ａと反対方向にスライドさせる。その結果、図４に図示状態となり、前記前方継手ａを所定の傾斜角度で傾斜できる。
【００６３】
図において、ｄは本考案の回転工具用ネジ固定具であり、以下の構成からなっている。
【００６４】
前記回転工具用ネジ固定具ｄは、十字型刃１ａ付きドライバービット１が嵌挿可能にして、且上面に磁石体３１を付着の嵌挿孔２を有する取着体３２に嵌め込み使用するものである。
【００６５】
この実施例のネジ固定具ｄは、以下に説明する内側カバー筒体３３と、外側カバー筒体３４とからなっている。
【００６６】
前記内側カバー筒体３３の実施の形態について説明する。
【００６７】
このネジ固定具ｄは、一端部にドライバービット１が挿入可能にして、且上面に磁石体３１を付着する嵌挿孔２付き取着体３２を使用する。
【００６８】
前記の構成部材を前提にして、前記内側カバー筒体３３の実施の形態を説明すると、前記取着体３２に嵌挿可能な筒状嵌挿部３５の一端部と他端部に、夫々開口部３６、３７を形成する。
【００６９】
そして、前記一端部の開口部３６の内側に形成の凹部３８内に、リング３９を嵌挿する。
【００７０】
さらに、前記一端部の開口部３６の外側に上方鍔部４０を形成する。そして、この鍔部４０の外側に凹部４１を設けリング４２を嵌めてもよい。
【００７１】
他方他端部の開口部３７に前記ドライバービット１が貫通する貫通孔４３を有する内側鍔部４４を形成し、さらに前記他端部の開口部３７の外側に下方鍔部４５を形成する。
【００７２】
以上の構成が内側カバー筒体３３の構成である。
【００７３】
つぎに、前記外側カバー筒体３４につき説明する。
【００７４】
この外側カバー筒体３４は、前記カバー筒体３４は、前記内側カバー筒体３３を被覆可能な内径を有し、且一端部に開口部４６を、他端部に前記ドライバービット１が挿入可能な出入孔４８を有する下方磁石体４７を嵌挿する嵌挿部５０を有する下方開口部４９を形成する。
【００７５】
前記外側カバー筒体３４の一端部の開口部４６より前記下方開口部４９方向に切欠するスリット部５１を形成する。
【００７６】
そして、前記取着体３２に前記内側カバー筒体３３を嵌挿後、前記内側カバー筒体３３に外側カバー筒体３４を上下方向にスライドするように嵌挿せしめる。
【００７７】
さらに、前記外側カバー筒体３４を形成する一端部の開口部３６の内側面に係止段部５２を形成する。
【００７８】
前記ドライバービット１は、前記取着体３２の嵌挿孔２に挿入すると、前記ドライバービット１は、磁石体４７によって吸着されている。
【００７９】
前記内側カバー筒体３３に前記内側カバー筒体３３を、前記外側カバー筒体３４の一端部の開口部４６より嵌挿すると、前記スリット部５１の作用によって若干開いて、前記内側カバー筒体３３の上方鍔部４０の方向に、前記外側カバー筒体３４の一端部の開口部４６の端面がスライドして嵌込まれる。
【００８０】
さらに、前記外側カバー筒体３４は、下方にスライドすると、下方鍔部４５の上方段部４５ａによって、前記外側カバー筒体３４の一端部の開口部４６より若干下方の内側方に突出する係止部４６ａによって係止するか、もしくはその直前にて前記外側カバー筒体３４の下方へのスライドを阻止する。前記ネジｎを下方磁石体４７が磁着する。そのとき前記ドライバービット１の先端部の十字型刃１ａが前記ネジｎの十字溝内に嵌込んでいる。
【００８１】
さらに、前記内側カバー筒体３３の一方の開口部３６の内側に、リング４２が取着されているので、取着体３２の外周の所定位置に確実にストップしている。従って、前記内側カバー筒体３３が不意に上下方向にスライドしない。
【００８２】
次に、請求項５、６記載の考案に関する実施の形態について説明する。
【００８３】
請求項５及び同６記載の考案の実施の形態は、図６に図示されている形態である。
【００８４】
以下図面に依拠して説明する。
【００８５】
ａは前方継手、ｂは自在継手、ｃは嵌挿筒体である。
【００８６】
前方継手ａは、一端部にドライバービット１あるいはドリル等が嵌挿可能な嵌挿孔５５を有する前方嵌挿部５６を有し、他端部に開口部５７を有し、且バネ５８を収納する後方嵌挿部５９を形成する。
【００８７】
前記開口部５７寄りの後方嵌挿部５９内に嵌挿して前記バネ５８を常時押圧する自在継手ｂのテーパー孔６１に貫通する軸ピン６０を貫通せしめる。
【００８８】
前記軸ピン６０の挿通手段は、前記後方嵌挿部５９を形成する周壁部分に貫通孔６２を形成し挿通させる。
【００８９】
６３は前記後方嵌挿部５９の外周の大径状外周部である。
【００９０】
６４は前記後方嵌挿部５９の後方部から前記ドライバービット１との間に形成されている外周の小径状外周部である。
【００９１】
６５は前記後方嵌挿部５９と前記前方嵌挿部５６との接続部位に形成の係止段部であり、この段部６５寄りの前方嵌挿部５６の外周に形成の凹溝６７に後方リング体６６を嵌挿する。そして前記後方リング体６６と前記ドライバービット１との間の小径状外周部６４に形成の凹溝６７に前方リング体６８を嵌挿せしめる。
【００９２】
つぎに嵌挿筒体ｃの構成について説明する。
【００９３】
前記嵌挿筒体ｃは、前方継手ａと、前記前方継手ａの前方嵌挿部５６に嵌挿する小径嵌挿部６９と前記後方嵌挿部５９と前記自在継手ｂに嵌挿する大径嵌挿部７０とかなる。
【００９４】
さらに前記小径嵌挿部６９の開口部７１に前記前方リング体６８と後方リング体６６とを嵌挿する凹部７２を一体に形成する。
【００９５】
前記嵌挿筒体ｃは、前方嵌挿部５６と前記後方嵌挿部５９と前記自在継手ｂとを嵌挿可能な長さとする。
【００９６】
７３は前記自在継手ｂの後方部に嵌着するシャンクである。
【００９７】
前記図６に図示されている本考案の回転工具用継手工具は、前方継手ａと自在継手ｂが、直線状態を確保したものである。
【００９８】
従って、前記自在継手ｂは、首振りが不可能である。
【００９９】
そして、図６は、前記凹溝６７内にバネ６６が嵌り込んでいる。そのため前記嵌挿筒体ｃをドライバービット１の方向にスライドさせない限り、前記前方継手ａと前記嵌挿筒体ｃが直線状態を確保する。
【０１００】
他方図６の図示状態から、前記嵌挿筒体ｃを前記ドライバービット１の方向にスライドさせ、前記凹溝６７内に前方リング体６８が嵌挿するまでスライドすると、前記嵌挿筒体ｃの後方嵌挿部５９が、前記前方継手ａの開口部５７に達する。
【０１０１】
前記のスライドによって、前記自在継手ｂが、首振りが可能となり、所定角度で折曲して回転工具による作業が可能となる。
【０１０２】
さらに請求項７、８に記載の考案に関する実施の形態について説明すると以下のとおりである。
【０１０３】
次に、請求項７、８記載の考案に関する実施の形態について説明する。
【０１０４】
請求項７及び同８記載の考案の実施の形態は、図７、８に図示されている形態である。
【０１０５】
以下図面に依拠して説明する。
【０１０６】
ａは前方継手、ｂは自在継手、ｃは嵌挿筒体である。
【０１０７】
前方継手ａは、一端部にドライバービット１あるいはドリル等が嵌挿可能な嵌挿孔５５を有する前方嵌挿部５６を有し、他端部に開口部５７を有し、且バネ５８を収納する後方嵌挿部５９を形成する。
【０１０８】
前記開口部５７寄りの後方嵌挿部５９内に嵌挿して前記バネ５８を常時押圧する自在継手ｂのテーパー孔６１に貫通する軸ピン６０を貫通せしめる。
【０１０９】
前記軸ピン６０の挿通手段は、前記後方嵌挿部５９を形成する周壁部分に貫通孔６２を形成し挿通させる。
【０１１０】
６３は前記後方嵌挿部５９の外周の大径状外周部である。
【０１１１】
６４は前記後方嵌挿部５９の後方部から前記ドライバービット１との間に形成されている外周の小径状外周部である。
【０１１２】
６５は前記後方嵌挿部５９と前記前方嵌挿部５６との接続部位の係止段部であり、この段部６５寄りの小径状外周部６４の外周に形成の後方凹溝６７に後方バネ６６と鋼球６６ａを嵌挿する。そして前記後方バネ６６及び鋼球６６ａと前記ドライバービット１との間の小径状外周部６４に形成の凹溝６７に前方バネ６８と鋼球６８ａを嵌挿せしめる。
【０１１３】
つぎに嵌挿筒体ｃの構成について説明する。
【０１１４】
前記嵌挿筒体ｃは、前方継手ａと、前記前方継手ａの前方嵌挿部５６に嵌挿する小径嵌挿部６９と前記後方嵌挿部５９と前記自在継手ｂに嵌挿する大径嵌挿部７０とかなる。
【０１１５】
さらに前記小径嵌挿部６９の開口部７１に前記鋼球６８ａを嵌挿する凹部７２を一体に形成する。
【０１１６】
前記嵌挿筒体ｃは、前記前方嵌挿部５６と前記後方嵌挿部５９と前記自在継手ｂとを嵌挿可能な長さとする。
【０１１７】
７３は前記自在継手ｂの後方部に嵌着するシャンクである。
【０１１８】
前記図８に図示されている本考案の回転工具用継手工具は、前方継手ａと自在継手ｂが、直線状態を確保したものである。
【０１１９】
従って、前記自在継手ｂは、首振りが不可能である。
【０１２０】
そして、図８は、前記凹溝６７内に後方バネ６６によって押上げられている鋼球６６ａが嵌り込んでいる。そのため前記嵌挿筒体ｃをドライバービット１の方向にスライドさせない限り、前記前方継手ａと前記嵌挿筒体ｃが直線状態を確保する。
【０１２１】
他方図８の図示状態から、前記嵌挿筒体ｃを前記ドライバービット１の方向にスライドさせ、前記凹溝６７内に前方リング体６８が嵌挿するまでスライドすると、前記嵌挿筒体ｃの大径嵌挿部７０の後方開口部７０ａが、前記前方継手ａの開口部５７に達する。
【０１２２】
前記のスライドによって、前記自在継手ｂが、首振りが可能となり、所定角度で折曲して回転工具による作業が可能となる。
【図面の簡単な説明】
【０１２３】
【図１】本考案回転工具用継手工具の斜視図である。
【０１２４】
【図２】同継手工具の一部切欠拡大縦断正面図である。
【０１２５】
【図３】図２の状態から前方継手を被嵌筒体とが組立てられた状態の一部切欠拡大縦断正面図である。
【０１２６】
【図４】第２実施例である継手工具に対し被嵌筒体がスライド前の状態を示す一部切欠拡大縦断正面図である。
【０１２７】
【図５】図４の状態から被嵌筒体をスライドして組立てた状態を示す一部切欠拡大縦断正面図である。
【０１２８】
【図６】同工具の第３実施例を示す縦断正面図である。
【０１２９】
【図７】同工具の第４実施例を示す縦断正面図である。
【０１３０】
【図８】図７の状態からスライドさせた縦断正面図である。
【符号の説明】
【０１３１】
ａ      前方継手
ｂ      嵌挿筒体
ｃ      継手本体
ｄ      ネジ固定具
１      ドライバービット
１ａ    十字型刃
２      嵌挿孔
３      開口部
４      バネ
５      嵌挿部
６      外周
７      小径状外周部
８      大径状外周部
９      テーパー孔
１０    自在継手
１１    貫通孔
１２    軸ピン
１３    凹溝
１４    リング
１５    嵌挿部
１５ａ  拡径状嵌挿部
１５ｂ  小径状嵌挿部
１６    周壁部
１７    鋼球
１８    前方凹溝
１９    後方凹溝
２０    前方開口部
２１    後方開口部
２１ａ  鍔
２２    自在継手
２３    外周凹溝
２４    バネ
２５    外周部
２６    係止段部
２７    後方部
２８    ストッパー部
２９    シャンク
３１    磁石体
３２    取着体
３３    内側カバー筒体
３４    外側カバー筒体
３５    筒状嵌挿部
３６    開口部
３７    開口部
３８    凹部
３９    リング
４０    上方鍔部
４１    凹部
４２    リング
４３    貫通孔
４４    内側鍔部
４５    下方鍔部
４６    開口部
４７    下方磁石体
４８    出入孔
４９    下方開口部
５０    嵌挿部
５１    スリット部
５２    係止段部
５５    嵌挿孔
５６    前方嵌挿部
５７    開口部
５８    バネ
５９    後方嵌挿部
６０    軸ピン
６１    テーパー孔
６２    貫挿孔
６３    大径状外周部
６４    小径状外周部
６５    段部
６６    後方バネ
６６ａ  鋼球
６７    凹溝
６８    前方バネ
６８ａ  鋼球
６９    小径嵌挿部
７０    大径状嵌挿部
７１    開口部
７２    凹部
７３    シャンク
【図１】
0003136768.tif 000003
【図２】
0003136768.tif 000004
【図３】
0003136768.tif 000005
【図４】
0003136768.tif 000006
【図５】
0003136768.tif 000007
【図６】
0003136768.tif 000008
【図７】
0003136768.tif 000009
【図８】
0003136768.tif 000010
【手続補正書】
【提出日】平成19年8月29日(2007.8.29)
【手続補正１】
【補正対象書類名】実用新案登録請求の範囲
【補正対象項目名】全文
【補正方法】変更
【補正の内容】
【実用新案登録請求の範囲】
【請求項１】
一端部にドライバービットあるいはドリルが嵌挿可能な嵌挿孔を有し、他端部に開口部を有し、且バネを収納する嵌挿部を有し、前記開口部から前記嵌挿孔寄りの前記嵌挿部の外周の径が小径の小径状外周部を、且前記小径状外周部から一端部方向の部位の径が大径の大径状外周部を形成し、前記小径状外周部に、前記嵌挿部内に嵌挿して前記バネを常時押圧する自在継手のテーパー孔に貫通する軸ピンが挿通する貫通孔を形成し、且前記貫通孔に挿通する前記軸ピンの飛出を阻止するリングを嵌挿する凹溝を形成せしめる前方継手を形成し、前記前方継手の小径状外周部に嵌脱する中空状の嵌挿部を有し、前記中空状の嵌挿部の周壁部に鋼球を嵌挿せしめる前方凹溝と後方凹溝を前記嵌挿部を形成する前方開口部から後方開口部にかけて間隔をあけて形成する被嵌筒体を形成し、前記被嵌筒体内に嵌挿する自在継手付き継手本体の前方外周部に、前記鋼球の一部とバネとが嵌挿する外周凹溝を形成し、前記外周凹溝より後方の後方外周部に前記被嵌筒体の鍔付き開口部が係止する係止段部を、且前記継手本体の後方部にストッパー部と、シヤンクの嵌着部を形成せしめることを特徴とする回転工具用継手工具。
【請求項２】
一端部にドライバービットあるいはドリルが嵌挿可能な嵌挿孔を有し、他端部に開口部を有し、且バネを収納する嵌挿部を有し、前記開口部から前記嵌挿孔寄りの前記嵌挿部の外周の径が小径の小径状外周部を、且前記小径状外周部から一端部の嵌挿孔寄りの前記嵌挿部の外周の径が大径の大径状外周部を形成し、前記小径状外周部に、前記嵌挿部内に嵌挿して前記バネを常時押圧する自在継手のテーパー孔に貫通する軸ピンが挿通する貫通孔を形成し、且前記貫通孔に挿通する前記軸ピンの飛出を阻止するリングを嵌挿する凹溝を形成すると共に、前記大径状外周部にバネと鋼球とが嵌挿する大径凹溝を形成する前方継手と、前記前方継手の小径状外周部及び前記大径状外周部に嵌脱する拡径状の嵌挿部と前記拡径状嵌挿部より小径の小径状嵌挿部を有し、前記拡径状嵌挿部の周壁部に鋼球を嵌挿せしめる凹溝を形成し、且自在継手付き継手本体が嵌挿する前記拡径状嵌挿部より小径にして、且前記小径状外周部に嵌脱する小径状嵌挿部を前記拡径状嵌挿部と連接すると共に、前記拡径状嵌挿部と反対の後方開口部に鍔部を形成する被嵌筒体を形成し、前記被嵌筒体を前記前方継手の方向に前進すると、前記前方継手の前記大径状外周部と前記小径状外周部に、前記被嵌筒体の拡径状嵌挿部と前記小径状嵌挿部が夫々嵌合し、前記拡径状嵌挿部の凹溝内に、前記大径状外周部の大径凹溝に嵌挿する鋼球が嵌挿すると共に、且前記継手本体の後方部にストッパー部と、シヤンクの嵌着部を形成せしめることを特徴とする回転工具用継手工具。
【請求項３】
前記前方継手にして、ドライバービット、ドリルが嵌挿する嵌挿孔の外周部に、ネジを磁着する磁石体を嵌着するネジ固定具を嵌挿せしめることを特徴とする請求項１又は同２記載の回転工具用継手工具。
【請求項４】
前記ネジ固定具が、内側カバー筒体と前記ドライバービット、ドリルが挿入可能な出入孔を有する磁石体を下端部に取着する外側カバー体を前記内側カバー筒体に挿入可能に組立てることを特徴とする請求項３記載の回転工具用継手工具。
【請求項５】
一端部にドライバービットあるいはドリルが嵌挿可能な嵌挿孔を有する前方嵌挿部と、他端部に開口部を有し、且バネを収納する後方嵌挿部を有し、前記開口部寄りの後方嵌挿部に、前記後方嵌挿部内に嵌挿して前記バネを常時押圧する自在継手のテーパー孔に貫通する軸ピンを挿通せしめ、前記後方嵌挿部の外周を大径状外周部とし、前記後方嵌挿部の後方部から前記ドライバービットとの間の外周を小径状外周部とし、前記後方嵌挿部と前記前方嵌挿部との接続部位を係止段部とすると共に、前記係止段部寄りの前方嵌挿部の外周に形成の凹溝に後方リング体を嵌挿し、且前記後方リング体と前記ドライバービットとの間の小径状外周部に形成の凹溝に前方リング体を嵌挿せしめる前方継手と、前記前方継手の前方嵌挿部に嵌挿する小径嵌挿部と前記後方嵌挿部と前記自在継手に嵌挿する大径嵌挿部とかなる嵌挿筒体を形成し、前記小径嵌挿部の開口部に前記前方リング体と後方リング体とを嵌挿する凹部を一体に形成することを特徴とする回転工具用継手工具。
【請求項６】
前記嵌挿筒体は、前記前方嵌挿部と前記後方嵌挿部と前記自在継手とを嵌挿可能な長さとすることを特徴とする請求項５記載の回転工具用継手工具。
【請求項７】
一端部にドライバービットあるいはドリルが嵌挿可能な嵌挿孔を有する前方嵌挿部と、他端部に開口部を有する前方嵌挿部と、且バネを収納する後方嵌挿部を有し、前記開口部寄りの後方嵌挿部に、前記後方嵌挿部内に嵌挿して前記バネを常時押圧する自在継手のテーパー孔に貫通する軸ピンを挿通せしめ、前記後方嵌挿部の外周を大径状外周部とし、前記後方嵌挿部の後方部から前記ドライバービットとの間の外周を小径状外周部とし、前記後方嵌挿部と前記前方嵌挿部との接続部位を係止段部とすると共に、前記係止段部寄りの前方嵌挿部の小径状外周部にバネと鋼球を嵌挿する前方凹溝にバネと鋼球とを嵌挿し、且前記後方凹溝と前記ドライバービットとの間の小径状外周部に形成の前方凹溝にバネと鋼球とを嵌挿せしめる前方継手と、前記前方継手の前方嵌挿部に嵌挿する小径嵌挿部と前記後方嵌挿部と前記自在継手に嵌挿する大径嵌挿部とかなる嵌挿筒体を形成し、前記小径嵌挿部の開口部に前記両凹溝に嵌挿するバネと鋼球を押圧し、且嵌挿せしめる凹部を一体に形成することを特徴とする回転工具用継手工具。
【請求項８】
前記嵌挿筒体は、前記前方嵌挿部と前記後方嵌挿部と前記自在継手とを嵌挿可能な長さとすることを特徴とする請求項７記載の回転工具用継手工具。